(57)【要約】【課題】アナログ・デジタル共用型からデジタル専用型への変更が容易な放送受信装置を提供する。【解決手段】地上放送用チューナ部１０１は、領域Ａ１に配置され、外部から与えられる地上放送信号をＩＦ信号に周波数変換する。地上放送用アナログ復調部１０２は、領域Ａ３に配置され、地上放送用チューナ部１０１で周波数変換されたＩＦ信号を復調する。衛星放送用チューナ部１０３は、領域Ａ２に配置され、外部から与えられる衛星放送信号を衛星放送信号より低い周波数帯の信号に周波数変換する。デジタル復調部１０４は、領域Ａ４に配置され、地上放送用チューナ部１０１および衛星放送用チューナ部１０３のいずれかから与えられる信号を復調する。【選択図】図１
2008061112.tif 000002
【特許請求の範囲】
【請求項１】
第１の辺、前記第１の辺の一方端に接続される第２の辺、前記第１の辺に対向する第３の辺、前記第１の辺の他方端に接続され前記第２の辺と対向する第４の辺を有する四角形の実装領域を含む基板を備え、
前記実装領域は、
前記第１の辺の一部および前記第２の辺の一部に接する矩形状の第１の領域と、
前記第１の辺の一部および前記第４の辺の一部に接する矩形状の第２の領域と、
前記第３の辺に接し、かつ前記第２の辺の一部および前記第４の辺に接する矩形状の第３の領域と、
前記第４の辺に接し、かつ前記第２の領域と前記第３の領域との間に配置される第４の領域とを含み、
前記第１の領域に配置され、外部から与えられる地上放送信号をＩＦ信号に周波数変換する地上放送用チューナ部と、
前記第３の領域に配置され、前記地上放送用チューナ部で周波数変換されたＩＦ信号を復調する地上放送用アナログ復調部と、
前記第２の領域に配置され、外部から与えられる衛星放送信号を前記衛星放送信号より低い周波数帯の信号に周波数変換する衛星放送用チューナ部と、
前記第４の領域に配置され、前記地上放送用チューナ部および前記衛星放送用チューナ部のいずれかから与えられる信号を復調するデジタル復調部とをさらに備える、放送受信装置。
【請求項２】
前記基板が格納されるシールドケースをさらに備え、
前記基板の接地パターンと前記シールドケースとは、電気的に接続される、請求項１に記載の放送受信装置。
【請求項３】
前記基板が格納されるシールドケースと、
前記シールドケースの内部の空間において前記第１〜第４の領域の各領域を他の領域と区切るシールド壁とをさらに備え、
前記基板の接地パターンと前記シールドケースとは、電気的に接続される、請求項１に記載の放送受信装置。
【請求項４】
前記地上放送用チューナ部、前記衛星放送用チューナ部の各々は、フェーズロックループ回路で制御される局部発振回路を含み、
前記地上放送用チューナ部、前記衛星放送用チューナ部の各々のフェーズロックループ回路に共通する基準信号を与える基準発振回路をさらに備える、請求項１〜３のいずれか１項に記載の放送受信装置。
【請求項５】
前記第１の辺から前記実装領域の外に向けて前記基板上に配置され、外部から与えられる前記地上放送信号を受ける地上放送用入力端子と、
前記第１の辺から前記実装領域の外に向けて前記基板上に配置され、かつ前記地上放送用入力端子と並んで配置され、外部から与えられる前記衛星放送信号を受ける衛星波放送用入力端子とをさらに備える、請求項１に記載の放送受信装置。
【請求項６】
前記地上放送用チューナ部は、
前記地上放送用入力端子から送られる信号を受ける第１のフィルタを含み、
前記第１のフィルタの出力する信号を分配して前記放送受信装置外部に出力する出力端子をさらに備える、請求項５に記載の放送受信装置。
【請求項７】
前記衛星放送用チューナ部は、
前記衛星放送用入力端子から送られる信号を受ける第１のフィルタを含み、
前記第１のフィルタの出力する信号を分配して前記放送受信装置外部に出力する出力端子をさらに備える、請求項５に記載の放送受信装置。
【請求項８】
前記地上放送用チューナ部は、
前記地上放送用入力端子から送られる信号を受ける第１のフィルタを含み、
前記衛星放送用チューナ部は、
前記衛星放送用入力端子から送られる信号を受ける第２のフィルタを含み、
前記第１のフィルタの出力する信号を分配して前記放送受信装置外部に出力する第１の出力端子と、
前記第２のフィルタの出力する信号を分配して前記放送受信装置外部に出力する第２の出力端子とをさらに備える、請求項５に記載の放送受信装置。
【請求項９】
前記地上放送信号および前記衛星放送信号を受ける入力端子と、
前記入力端子から前記地上放送用チューナ部に信号を伝達する経路上に設けられ、前記地上放送信号を選択的に透過させる第１のフィルタと、
前記入力端子から前記衛星放送用チューナ部に信号を伝達する経路上に設けられ、前記衛星放送信号を選択的に透過させる第２のフィルタとをさらに備える、請求項１に記載の放送受信装置。
【請求項１０】
前記第１のフィルタによって選択的に透過された前記地上放送信号を分岐して出力する出力端子をさらに備える、請求項９に記載の放送受信装置。
【請求項１１】
前記第２のフィルタによって選択的に透過された前記衛星放送信号を分岐して出力する出力端子をさらに備える、請求項９に記載の放送受信装置。
【請求項１２】
前記入力端子は、前記実装領域の前記第１〜４の辺のいずれか１つの辺に最も近くなるように配置され、
前記出力端子は、前記入力端子と同様に、前記１つの辺に最も近くなるように配置される、請求項１０または１１に記載の放送受信装置。
【請求項１３】
前記入力端子は、前記実装領域の前記第１〜４の辺のいずれか１つの辺に最も近くなるように配置され、
前記出力端子は、前記１つの辺とは異なる辺に最も近くなるように配置される、請求項１０または１１に記載の放送受信装置。
【請求項１４】
前記第１のフィルタによって選択的に透過された前記地上放送信号を分岐して出力する第１の出力端子と、
前記第２のフィルタによって選択的に透過された前記衛星放送信号を分岐して出力する第２の出力端子をさらに備える、請求項９に記載の放送受信装置。
【請求項１５】
前記入力端子は、前記実装領域の前記第１〜４の辺のいずれか１つの辺に最も近くなるように配置され、
前記第１、第２の出力端子の少なくとも一方は、前記入力端子と同様に、前記１つの辺に最も近くなるように配置される、請求項１４に記載の放送受信装置。
【請求項１６】
前記入力端子は、前記実装領域の前記第１〜４の辺のいずれか１つの辺に最も近くなるように配置され、
前記第１、第２の出力端子の少なくとも一方は、前記１つの辺とは異なる辺に最も近くなるように配置される、請求項１４に記載の放送受信装置。
【請求項１７】
前記放送受信装置は、アナログ方式地上放送、デジタル方式地上放送、およびデジタル方式衛星放送を受信可能に構成される、請求項１〜１６のいずれか１項に記載の放送受信装置。
【発明の詳細な説明】
【技術分野】
【０００１】
この発明は、チューナユニットを含む放送受信装置に関する。
【背景技術】
【０００２】
日本では、テレビ放送がアナログ方式からデジタル方式に切り替えられることが予定されている。デジタル方式では、地上放送と衛星放送が行なわれる。デジタル放送を受信するチューナの一例として、デジタル方式衛星放送受信機が特開平９−２１４８４３号公報（特許文献１）に開示されている。
【特許文献１】特開平９−２１４８４３号公報
【発明の開示】
【発明が解決しようとする課題】
【０００３】
現在、各地でデジタル方式の地上放送が開始され、テレビ放送はデジタル方式とアナログ方式の両方で行なわれている。
【０００４】
これに伴い、地上（地上波）デジタル放送、地上（地上波）アナログ放送および衛星放送を受信することができる構成のテレビジョン受信機（以下、テレビと称する。）が近年増加している。
【０００５】
しかし、特開平９−２１４８４３号公報（特許文献１）記載のチューナと、地上デジタル放送を受信するチューナと、地上アナログ放送を受信するチューナとを組み合わせてテレビを製造する方法では、各チューナを組み合わせることによって設計および製造工程が複雑になり、製造コストが増大してしまう。たとえば、地上放送用のチューナおよび衛星放送用のチューナが別の基板に配置されている場合には、基板間を接続するためのケーブルの配置、およびテレビ内の各基板の配置等を行なうための設計および製造工程が複雑になってしまう。それゆえに、コンパクトなチューナユニットが望まれる。
【０００６】
その一方、今後アナログ方式のテレビ放送の終了時期が近づくにつれて、デジタル方式のみを受信再生可能なテレビの需要も見込まれる。したがって、アナログ・デジタル共用テレビとデジタル専用テレビの両方の開発が必要である。この場合、以下の問題点について留意しなければならない。
【０００７】
図１８は、アナログ・デジタル共用のチューナユニットの配置検討例である。
第１には、図１８に示すような配置を採用し、アナログ・デジタル共用のチューナユニットを開発する場合、開発したチューナユニットからアナログ復調部の部品をマウントしないようにしてデジタル専用受信チューナとして使用することもできる。これを搭載するテレビ受像機等のセット側は共用が可能であるが、アナログ復調部が中央に配置されており、この部分をなくしたとしても、チューナ全体のサイズは変わらないのでチューナのコストをあまり下げることはできない。
【０００８】
第２には、図１８に示す配置からチューナサイズを小さくしてデジタル専用テレビを開発することにすると、開発した共用チューナユニットから再設計が必要となる。またセット側でもチューナのレイアウトに合わせる変更が必要となり、セット側の再設計も必要となる。このため、２機種の開発を総合してみると設計効率が悪くなる。
【０００９】
本発明の目的は、アナログ・デジタル共用型からデジタル専用型への変更が容易な放送受信装置を提供することである。
【課題を解決するための手段】
【００１０】
この発明は、第１の局面においては、放送受信装置であって、第１の辺、第１の辺の一方端に接続される第２の辺、第１の辺に対向する第３の辺、第１の辺の他方端に接続され第２の辺と対向する第４の辺を有する四角形の実装領域を含む基板を備える。実装領域は、第１の辺の一部および第２の辺の一部に接する矩形状の第１の領域と、第１の辺の一部および第４の辺の一部に接する矩形状の第２の領域と、第３の辺に接し、かつ第２の辺の一部および第４の辺に接する矩形状の第３の領域と、第４の辺に接し、かつ第２の領域と第３の領域との間に配置される第４の領域とを含む。放送受信装置は、第１の領域に配置され、外部から与えられる地上放送信号をＩＦ信号に周波数変換する地上放送用チューナ部と、第３の領域に配置され、地上放送用チューナ部で周波数変換されたＩＦ信号を復調する地上放送用アナログ復調部と、第２の領域に配置され、外部から与えられる衛星放送信号を衛星放送信号より低い周波数帯の信号に周波数変換する衛星放送用チューナ部と、第４の領域に配置され、地上放送用チューナ部および衛星放送用チューナ部のいずれかから与えられる信号を復調するデジタル復調部とをさらに備える。
【００１１】
好ましくは、放送受信装置は、基板が格納されるシールドケースをさらに備える。基板の接地パターンとシールドケースとは、電気的に接続される。
【００１２】
好ましくは、放送受信装置は、基板が格納されるシールドケースと、シールドケースの内部の空間において第１〜第４の領域の各領域を他の領域と区切るシールド壁とをさらに備える。基板の接地パターンとシールドケースとは、電気的に接続される。
【００１３】
好ましくは、地上放送用チューナ部、衛星放送用チューナ部の各々は、フェーズロックループ回路で制御される局部発振回路を含む。放送受信装置は、地上放送用チューナ部、衛星放送用チューナ部の各々のフェーズロックループ回路に共通する基準信号を与える基準発振回路をさらに備える。
【００１４】
好ましくは、第１の辺から実装領域の外に向けて基板上に配置され、外部から与えられる地上放送信号を受ける地上放送用入力端子と、第１の辺から実装領域の外に向けて基板上に配置され、かつ地上放送用入力端子と並んで配置され、外部から与えられる衛星放送信号を受ける衛星波放送用入力端子とをさらに備える。
【００１５】
より好ましくは、地上放送用チューナ部は、地上放送用入力端子から送られる信号を受ける第１のフィルタを含む。放送受信装置は、第１のフィルタの出力する信号を分配して放送受信装置外部に出力する出力端子をさらに備える。
【００１６】
より好ましくは、衛星放送用チューナ部は、衛星放送用入力端子から送られる信号を受ける第１のフィルタを含む。放送受信装置は、第１のフィルタの出力する信号を分配して放送受信装置外部に出力する出力端子をさらに備える。
【００１７】
より好ましくは、地上放送用チューナ部は、地上放送用入力端子から送られる信号を受ける第１のフィルタを含む。衛星放送用チューナ部は、衛星放送用入力端子から送られる信号を受ける第２のフィルタを含む。放送受信装置は、第１のフィルタの出力する信号を分配して放送受信装置外部に出力する第１の出力端子と、第２のフィルタの出力する信号を分配して放送受信装置外部に出力する第２の出力端子とをさらに備える。
【００１８】
好ましくは、放送受信装置は、地上放送信号および衛星放送信号を受ける入力端子と、入力端子から地上放送用チューナ部に信号を伝達する経路上に設けられ、地上放送信号を選択的に透過させる第１のフィルタと、入力端子から衛星放送用チューナ部に信号を伝達する経路上に設けられ、衛星放送信号を選択的に透過させる第２のフィルタとをさらに備える。
【００１９】
より好ましくは、放送受信装置は、第１のフィルタによって選択的に透過された地上放送信号を分岐して出力する出力端子をさらに備える。
【００２０】
より好ましくは、放送受信装置は、第２のフィルタによって選択的に透過された衛星放送信号を分岐して出力する出力端子をさらに備える。
【００２１】
さらに好ましくは、入力端子は、実装領域の第１〜４の辺のいずれか１つの辺に最も近くなるように配置され、出力端子は、入力端子と同様に、１つの辺に最も近くなるように配置される。
【００２２】
さらに好ましくは、入力端子は、実装領域の第１〜４の辺のいずれか１つの辺に最も近くなるように配置され、出力端子は、１つの辺とは異なる辺に最も近くなるように配置される。
【００２３】
より好ましくは、放送受信装置は、第１のフィルタによって選択的に透過された地上放送信号を分岐して出力する第１の出力端子と、第２のフィルタによって選択的に透過された衛星放送信号を分岐して出力する第２の出力端子をさらに備える。
【００２４】
さらに好ましくは、入力端子は、実装領域の第１〜４の辺のいずれか１つの辺に最も近くなるように配置され、第１、第２の出力端子の少なくとも一方は、入力端子と同様に、１つの辺に最も近くなるように配置される。
【００２５】
さらに好ましくは、入力端子は、実装領域の第１〜４の辺のいずれか１つの辺に最も近くなるように配置され、第１、第２の出力端子の少なくとも一方は、１つの辺とは異なる辺に最も近くなるように配置される。
【００２６】
好ましくは、上記いずれかの放送受信装置は、アナログ方式地上放送、デジタル方式地上放送、およびデジタル方式衛星放送を受信可能に構成される。
【発明の効果】
【００２７】
本発明によれば、アナログ・デジタル共用型からデジタル専用型への変更が容易となり、開発の工数やコストの面で有利である。
【発明を実施するための最良の形態】
【００２８】
以下、本発明の実施の形態について図面を用いて説明する。なお、図中同一または相当部分には同一符号を付してその説明は繰返さない。
【００２９】
［実施の形態１］
図１は、本発明の実施の形態１に係る放送受信装置の実装概略図である。
【００３０】
図１を参照して、この放送受信装置は、地上放送用チューナ部１０１と、地上放送用アナログ復調部１０２と、衛星放送用チューナ部１０３と、デジタル復調部１０４とを備える。
【００３１】
放送受信装置は、辺Ｓ１、辺Ｓ１の一方端に接続される辺Ｓ２、辺Ｓ１に対向する辺Ｓ３、辺Ｓ１の他方端に接続され辺Ｓ２と対向する辺Ｓ４を有する四角形の実装領域を含む基板Ｋ１を備える。
【００３２】
この実装領域は、辺Ｓ１の一部および辺Ｓ２の一部に接する矩形状の領域Ａ１と、辺Ｓ１の一部および辺Ｓ４の一部に接する矩形状の領域Ａ２と、辺Ｓ３に接し、かつ辺Ｓ２の一部および辺Ｓ４に接する矩形状の領域Ａ３と、辺Ｓ４に接し、かつ領域Ａ２と領域Ａ３との間に配置される領域Ａ４とを含む。
【００３３】
地上放送用チューナ部１０１は、領域Ａ１に配置され、外部から与えられる地上放送信号をＩＦ信号に周波数変換する。地上放送用アナログ復調部１０２は、領域Ａ３に配置され、地上放送用チューナ部１０１で周波数変換されたＩＦ信号を復調する。衛星放送用チューナ部１０３は、領域Ａ２に配置され、外部から与えられる衛星放送信号を衛星放送信号より低い周波数帯の信号に周波数変換する。デジタル復調部１０４は、領域Ａ４に配置され、地上放送用チューナ部１０１および衛星放送用チューナ部１０３のいずれかから与えられる信号を復調する。
【００３４】
受信部１００は、地上放送信号および衛星放送信号を受信する。より詳細には、受信部１００は、アンテナ（入力端子）ＡＮＴ１〜ＡＮＴ２を含む。
【００３５】
地上放送用入力端子（ＡＮＴ１）は、辺Ｓ１から実装領域の外に向けて基板Ｋ１上に配置され、外部から与えられる地上放送信号を受ける。衛星波放送用入力端子（ＡＮＴ２）は、辺Ｓ１から実装領域の外に向けて基板Ｋ１上に配置され、かつ地上放送用入力端子と並んで配置され、外部から与えられる衛星放送信号を受ける。
【００３６】
より具体的には、アンテナＡＮＴ１は、地上放送信号、たとえば４７０ＭＨｚ〜７７０ＭＨｚの周波数帯のＵＨＦ（Ultra High Frequency）信号、ＵＨＦより低い周波数帯のＶＨＦ（Very High Frequency）ハイバンド信号またはＶＨＦハイバンドより低い周波数帯のＶＨＦローバンド信号を外部から入力する端子である。アンテナＡＮＴ２は、たとえば９５０ＭＨｚ〜２１５０ＭＨｚの周波数帯の衛星放送信号を外部から入力する端子である。また、アンテナＡＮＴ１は地上放送用チューナ部１０１に接続され、また、アンテナＡＮＴ２は衛星放送用チューナ部１０３に接続される。
【００３７】
アンテナＡＮＴ１〜ＡＮＴ２は、基板Ｋ１の同一端部、すなわち基板Ｋ１の実装面の同一辺側に配置される。このような構成により、この放送受信装置を搭載するテレビ等の製品設計が容易になる。たとえば、製品の基板の端部付近にこの放送受信装置を配置し、製品用のケースの、アンテナＡＮＴ１〜ＡＮＴ２のみが製品外部に現れるようにアンテナＡＮＴ１〜ＡＮＴ２の対応する位置に穴を空けることにより、製品外部から放送受信装置のアンテナＡＮＴ１〜ＡＮＴ２に配線を直接接続することができ、製品設計の簡易化を図ることができる。
【００３８】
一般に衛星放送用チューナ部１０３は地上放送用チューナ部１０１よりも実装領域が小さい。このため、衛星放送用チューナ部１０３および地上放送用チューナ部１０１をそれぞれ領域Ａ１，Ａ２に配置して上下に並べ、将来デジタル専用チューナを生産する際には不要となる地上放送用アナログ復調部１０２は、アンテナＡＮＴ１，ＡＮＴ２が配置されている辺Ｓ１と反対側の辺Ｓ３付近の基板Ｋ１の端部の領域Ａ３に配置する。そして、四角形の基板Ｋ１の実装面のうち、衛星放送用チューナ部１０３と地上放送用アナログ復調部１０３の間の余った領域Ａ４に地上放送および衛星放送用のデジタル復調部１０４を実装することにより、基板Ｋ１の実装面を最小化することができ、放送受信装置の小型化を図ることができる。
【００３９】
なお、アンテナＡＮＴ１〜ＡＮＴ２が基板Ｋ１の左側の同一端部に配置される場合には、領域Ａ１〜Ａ４は全体として図１とは左右逆に配置される。また、アンテナＡＮＴ１〜ＡＮＴ２が上下逆に配置される場合には、領域Ａ１〜Ａ４は全体として図１とは上下逆に配置される。
【００４０】
地上放送用チューナ部１０１は、アンテナＡＮＴ１に入力された地上放送信号をＩＦ信号に周波数変換する。
【００４１】
地上放送用アナログ復調部１０２は、入力された地上放送信号が地上アナログ放送信号である場合には、地上放送用チューナ部１０１で周波数変換されたＩＦ信号を復調（検波）して復調信号（検波信号）を出力する。より詳細には、地上放送用アナログ復調部１０２は、ＩＦ信号を復調してビデオ信号と、ＳＩＦ（Sound Intermediate Frequency）信号およびオーディオ信号の少なくともいずれか一方とを出力する。
【００４２】
衛星放送用チューナ部１０３は、アンテナＡＮＴ２に入力された衛星放送信号を復調して復調信号を出力する。
【００４３】
地上放送用および衛星放送用のデジタル復調部１０４は、地上放送用チューナ部１０１から受けたＩＦ信号または衛星放送用チューナ部１０３から受けたＩ／Ｑ信号を復調処理して図示しないＴＳ（Transport Stream）デコーダに出力する。
【００４４】
図２は、本発明の実施の形態１に係る放送受信装置の構造を示す斜視図である。
図２を参照して、この放送受信装置は、図１で示した構成に加えて、シールドケースＫ２〜Ｋ４と、シールドケースＫ２〜Ｋ４で囲まれる内部の空間において領域Ａ１〜Ａ４の各領域を他の領域と区切るシールド壁Ｋ５〜Ｋ７とをさらに備える。
【００４５】
シールドケースＫ２〜Ｋ３は、放送受信装置の完成状態において放送受信装置の蓋となる。シールドケースＫ４は、放送受信装置の完成状態において放送受信装置の側壁となる。シールドケースＫ２〜Ｋ４は、基板Ｋ１を格納する。シールド板Ｋ５〜Ｋ７は、シールドケースＫ４の内側に配置され、シールドケースＫ４に電気的に接続される。
【００４６】
シールド板Ｋ５〜Ｋ７に形成されたシャーシ足Ｋ１１〜Ｋ１３，Ｋ１７が基板Ｋ１に形成されたシャーシ足用穴Ｋ１４〜Ｋ１６，Ｋ１８にそれぞれ挿入され電気的に接続される。シャーシ足用穴Ｋ１４〜Ｋ１６，Ｋ１８は、基板Ｋ１のＧＮＤパターンと電気的に接続されている。したがって、基板Ｋ１のＧＮＤ（接地）パターンとシールドケースＫ２〜Ｋ４とが電気的に接続される。
【００４７】
このような構成により、放送受信装置外部からの干渉波を低減し、放送受信装置の受信特性の劣化を防ぐことができる。
【００４８】
また、シールド板Ｋ５〜Ｋ７は、基板Ｋ１がシールドケースＫ２〜Ｋ４内に格納された状態において、地上放送用チューナ部１０１と、地上放送用アナログ復調部１０２と、衛星放送用チューナ部１０３と、デジタル復調部１０４とを空間的に分離する。
【００４９】
このような構成により、地上放送用チューナ部１０１、地上放送用アナログ復調部１０２、衛星放送用チューナ部１０３およびデジタル復調部１０４間の相互の干渉を低減し、放送受信装置の受信特性の劣化を防ぐことができる。
【００５０】
図３は、図１に示した放送受信装置の構成を示す機能ブロック図である。
図３を参照して、アンテナＡＮＴ１には、地上放送信号が外部から入力される。アンテナＡＮＴ２には、衛星放送信号が外部から入力される。アンテナＡＮＴ１は地上放送用チューナ部１０１に接続され、また、アンテナＡＮＴ２は衛星放送用チューナ部１０３に接続される。
【００５１】
地上放送用チューナ部１０１は、アンテナＡＮＴ１に入力された地上放送信号をＩＦ信号に周波数変換する。地上放送用チューナ部１０１で周波数変換されたＩＦ信号を復調（検波）して復調信号（検波信号）を出力する。
【００５２】
衛星放送用チューナ部１０３は、アンテナＡＮＴ２に入力された衛星放送信号を復調して復調信号を出力する。
【００５３】
地上放送用および衛星放送用のデジタル復調部１０４は、地上放送用チューナ部１０１から受けたＩＦ信号または衛星放送用チューナ部１０３から受けたＩ／Ｑ信号を復調処理して図示しないＴＳ（Transport Stream）デコーダに出力する。
【００５４】
図４は、地上放送用チューナ部１０１および地上放送用アナログ復調部１０２の構成を示す機能ブロック図である。
【００５５】
図４を参照して、地上放送用チューナ部１０１は、ローパスフィルタ４と、アッテネータ１と、バンドパスフィルタ２と、ＲＦアンプ３と、バンドパスフィルタ７〜９と、ＲＦアンプ１０〜１２と、バンドパスフィルタ１３〜１５と、ミキサＰＬＬ部５１と、ＩＦアンプ２６と、バンドパスフィルタ２７と、ＳＡＷフィルタ２８と、ＩＦアンプ２９と、ＳＡＷフィルタ３０と、ＤＣ−ＤＣコンバータ４６と、スイッチＳＷ２とを含む。なお、地上放送用チューナ部１０１は、バンドパスフィルタ２の代わりにハイパスフィルタを含む構成であってもよく、バンドパスフィルタ２７の代わりにローパスフィルタを含む構成であってもよい。
【００５６】
また、地上放送用アナログ復調部１０２は、ＳＡＷフィルタ３２〜３３と、コンデンサ４２と、コイル４３と、アンプ４４と、アナログ復調部５２とを含む。
【００５７】
ミキサＰＬＬ部５１は、たとえば１個のＩＣであり、混合回路１６〜１８と、局部発振回路１９〜２１と、ＡＧＣ検波回路２２と、スイッチＳＷ１と、ＩＦアンプ２３〜２５と、ＩＦアンプ３１と、ＰＬＬ（フェイズロックループ）回路４５とを含む。
【００５８】
アナログ復調部５２は、たとえば１個のＩＣであり、ＶＩＦアンプ３４と、映像復調回路３５と、イコライザアンプ３６と、ＳＩＦアンプ３７と、音声検波回路３８と、ＦＭ（Frequency Modulation）検波回路３９と、ＡＦ（Audio Frequency）アンプ４０と、ＶＣＯ（Voltage Controlled Oscillator）４１とを含む。
【００５９】
また、本発明の実施の形態１に係る放送受信装置は、基準発振回路５０を備える。基準発振回路５０は、水晶４７と、発振器４８とを含む。基準発振回路５０は、発振してたとえば４ＭＨｚの基準信号を生成する。
【００６０】
［地上放送用チューナ部１０１］
次に、地上放送用チューナ部１０１について説明する。
【００６１】
アッテネータ１は、アンテナＡＮＴ１からローパスフィルタ４を経由して入力された地上放送信号を減衰させる。アッテネータ１は、ＡＧＣ制御信号に基づいて減衰量を変更する。
【００６２】
バンドパスフィルタ２は、アッテネータ１を通過した地上放送信号の周波数成分のうち所定帯域外の成分を減衰させる。
【００６３】
ＲＦアンプ３は、バンドパスフィルタ２を通過した地上放送信号を増幅する。
バンドパスフィルタ７〜９は、ＲＦアンプ３で増幅された地上放送信号の周波数成分のうち所定帯域外の成分を減衰させる。ここで、バンドパスフィルタ７を通過する地上放送信号はＵＨＦ信号であり、バンドパスフィルタ８を通過する地上放送信号はＶＨＦハイバンド信号であり、バンドパスフィルタ９を通過する地上放送信号はＶＨＦローバンド信号である。
【００６４】
ＲＦアンプ１０〜１２は、バンドパスフィルタ７〜９を通過した信号をそれぞれ増幅する。また、ＲＦアンプ１０〜１２は、ＡＧＣ制御信号に基づいてゲインを変更する。
【００６５】
バンドパスフィルタ１３〜１５は、それぞれＲＦアンプ１０〜１２で増幅された地上放送信号の周波数成分のうち所定帯域外の成分を減衰させる。
【００６６】
混合回路１６〜１８は、バンドパスフィルタ１３〜１５を通過した地上放送信号と、局部発振回路１９〜２１から受けた局部発振信号とをそれぞれ乗算することにより地上放送信号をＩＦ（Intermediate Frequency）信号に周波数変換する。ＩＦ信号は、たとえば５７ＭＨｚである。
【００６７】
ＩＦアンプ２３は、混合回路１６〜１８から受けたＩＦ信号を増幅する。ＩＦアンプ２４〜２５は、ＩＦアンプ２３から受けたＩＦ信号を増幅する。ＩＦアンプ２６は、ＩＦアンプ２４から受けたＩＦ信号を増幅する。
【００６８】
バンドパスフィルタ２７は、ＩＦアンプ２６で増幅されたＩＦ信号の周波数成分のうち所定帯域外の成分を減衰させる。
【００６９】
ＳＡＷフィルタ２８は、ＩＦアンプ２５から受けたＩＦ信号の周波数成分のうち所定帯域外の成分を減衰させる。ＩＦアンプ２９は、ＳＡＷフィルタ２８を通過したＩＦ信号を増幅する。ＳＡＷフィルタ３０は、ＩＦアンプ２９から受けたＩＦ信号の周波数成分のうち所定帯域外の成分を減衰させる。
【００７０】
ＲＦアンプ３１は、ＳＡＷフィルタ３０通過したＩＦ信号を増幅し、図３におけるデジタル復調部１０４へ出力する。ＲＦアンプ３１から放送受信装置外部へ出力されたＩＦ信号はデジタル復調部１０４において復調される。また、ＲＦアンプ３１は、デジタル復調部１０４から受けたＡＧＣ制御信号ＡＧＣ２に基づいてゲインを変更し、デジタル復調部１０４が受けるＩＦ信号のレベルを一定にする。
【００７１】
ＡＧＣ検波回路２２は、ＩＦアンプ２３から受けたＩＦ信号のレベルに基づいてデジタルＲＦＡＧＣ制御信号を生成する。
【００７２】
ＰＬＬ回路４５は、放送受信装置外部から受けた制御信号ＳＣＬ２および制御信号ＳＤＡ２によって送信されてくるＰＬＬパラメータ、ならびに基準発振回路５０から受けた基準信号に基づいて局部発振回路１９〜２１の発振周波数を制御する。
【００７３】
たとえば、ＰＬＬ回路４５は、局部発振回路１９〜２１からの局部発振信号をそれぞれ所定の分周比で分周した信号と、基準発振回路５０からの基準信号との位相を比較する。そして、ＰＬＬ回路４５は、位相比較結果に基づいて局部発振回路１９〜２１の発振周波数を制御する。局部発振回路１９〜２１は、ＰＬＬ回路４５の制御に基づいて発振し、局部発振信号を出力する。
【００７４】
ＤＣ−ＤＣコンバータ４６は、外部から受けた５Ｖの直流電圧Ｂ５を３１Ｖの直流電圧に変換し、ミキサＰＬＬ部５１に供給する。また、ミキサＰＬＬ部５１には外部から５Ｖの直流電圧Ｂ４が供給される。
【００７５】
スイッチＳＷ１およびスイッチＳＷ２は、いずれか一方をオン状態とし他方をオフ状態とすることにより、ＡＧＣ検波回路２２で生成されたデジタルＲＦＡＧＣ制御信号、または後述する地上放送用アナログ復調部１０２で生成されたアナログＲＦＡＧＣ制御信号をＲＦアンプ１０〜１２、アッテネータ１および放送受信装置外部へ出力する。放送受信装置外部へ出力されるＲＦＡＧＣ制御信号は、通常、モニタ用である。
【００７６】
［地上放送用アナログ復調部１０２］
次に、同じく図４を参照して、地上放送用アナログ復調部１０２について説明する。
【００７７】
ＳＡＷフィルタ３２〜３３は、バンドパスフィルタ２７を通過したＩＦ信号の周波数成分のうち所定帯域外の成分を減衰させる。ＳＡＷフィルタ３２を通過するＩＦ信号は、音声信号用の帯域におけるＩＦ信号である。また、ＳＡＷフィルタ３３を通過するＩＦ信号は、映像信号用の帯域におけるＩＦ信号である。
【００７８】
ＶＩＦアンプ３４は、ＳＡＷフィルタ３２を通過したＩＦ信号を増幅する。
映像復調回路３５は、ＶＣＯ４１から受けた発振信号に基づいて、ＶＩＦアンプ３４から受けたＩＦ信号を復調し、ビデオ信号として出力する。ここで、ＶＣＯ４１の生成する発振信号は、コンデンサ４２の容量値およびコイル４３のインダクタンス値に応じて周波数が変わる。
【００７９】
イコライザアンプ３６は、映像復調回路３５から受けたビデオ信号に含まれるノイズの除去およびビデオ信号の振幅特性の調整等を行なう。
【００８０】
アンプ４４は、イコライザアンプ３６から受けたビデオ信号を増幅し、放送受信装置外部へビデオ信号ＶＯＵＴを出力する。
【００８１】
ＳＩＦアンプ３７は、ＳＡＷフィルタ３３を通過したＩＦ信号を増幅する。
音声検波回路３８は、ＶＣＯ４１から受けた発振信号に基づいて、ＳＩＦアンプ３７から受けたＩＦ信号を復調し、ＳＩＦ信号をＦＭ検波回路３９および放送受信装置外部へ出力する。
【００８２】
ＦＭ検波回路３９は、音声検波回路３８から受けたＳＩＦ信号をＦＭ検波し、オーディオ信号としてＡＦアンプ４０へ出力する。
【００８３】
ＡＦアンプ４０は、ＦＭ検波回路３９から受けたオーディオ信号を増幅し、放送受信装置外部へオーディオ信号ＡＯＵＴを出力する。
【００８４】
ここで、映像復調回路３５、音声検波回路３８およびＦＭ検波回路３９のうちの少なくともいずれかひとつは、入力したＩＦ信号のレベルに基づいてアナログＲＦＡＧＣ制御信号を生成する。
【００８５】
また、映像復調回路３５、音声検波回路３８およびＦＭ検波回路３９のうちの少なくともいずれかひとつは、ＶＣＯ４１のフリーラン周波数と入力したＩＦ信号の周波数とのずれを表わすＡＦＴ信号を放送受信装置外部へ出力する。通常、ＡＦＴ信号は、放送受信装置を備えたテレビ等において放送局の有無を判別するチャンネルサーチ機能を実現するために用いられる。
【００８６】
アナログ復調部５２には外部から５Ｖの直流電圧Ｂ６が供給される。
［衛星放送用チューナ部１０３］
図５は、衛星放送用チューナ部１０３の構成を示す機能ブロック図である。
【００８７】
図５を参照して、衛星放送用チューナ部１０３は、ハイパスフィルタ６１と、ＲＦアンプ６２と、ミキサＰＬＬ部５３と、ローパスフィルタ７８と、コンデンサＣ１〜Ｃ３とを含む。
【００８８】
ミキサＰＬＬ部５３は、たとえば１個のＩＣであり、ＲＦアンプ６３と、ＡＧＣアンプ６４と、混合回路６５〜６６と、アンプ６７〜６８と、ローパスフィルタ６９〜７０と、アンプ７１〜７２と、ＡＧＣ制御回路７３と、シフター（移相回路）７４と、アンプ７５と、ＶＣＯ７６と、ＰＬＬ回路７７とを含む。
【００８９】
ハイパスフィルタ６１は、アンテナＡＮＴ２から入力された衛星放送信号の周波数成分のうち、所定周波数以下の成分を減衰させる。
【００９０】
ＲＦアンプ６２は、ハイパスフィルタ６１を通過した衛星放送信号を増幅する。ＲＦアンプ６３は、ＲＦアンプ６２から受けた衛星放送信号を増幅する。ＡＧＣアンプ６４は、ＲＦアンプ６３から受けた衛星放送信号を増幅する。また、ＡＧＣアンプ６４は、ＡＧＣ制御回路７３の制御に基づいてゲインを変更する。
【００９１】
ＡＧＣ制御回路７３は、図３のデジタル復調部１０４に含まれるＩＱ復調回路（ＰＳＫ復調回路）から受けたＡＧＣ制御信号ＡＧＣ１に基づいてＡＧＣアンプ６４のゲインを制御する。
【００９２】
混合回路６５〜６６は、ＡＧＣアンプ６４から受けた衛星放送信号と、シフター７４から受けた局部発振信号とを乗算することにより衛星放送信号をＩＦ信号またはベースバンド信号に周波数変換し、それぞれＩ信号およびＱ信号として出力する。
【００９３】
ＲＦアンプ６７〜６８は、混合回路６５〜６６からそれぞれ受けたＩ信号およびＱ信号を増幅する。
【００９４】
ローパスフィルタ６９〜７０は、ＲＦアンプ６７〜６８からそれぞれ受けたＩ信号およびＱ信号の周波数成分のうち、所定周波数以下の成分を減衰させる。
【００９５】
ＲＦアンプ７１〜７２は、ローパスフィルタ６９〜７０を通過したＩ信号およびＱ信号を増幅し、放送受信装置外部へ出力する。ＲＦアンプ７１〜７２から放送受信装置外部へ出力されたＩ信号およびＱ信号は、図３のデジタル復調部１０４において復調される。
【００９６】
ＶＣＯ７６は、ローパスフィルタ７８を通過したＰＬＬ回路７７からの制御信号および基準発振回路５０から受けた基準信号に基づいて発振し、局部発振信号を出力する。
【００９７】
シフター７４は、ＶＣＯ７６から受けた局部発振信号を９０度の位相差を有する２つの局部発振信号に分岐して混合回路６５〜６６へ出力する。また、シフター７４は、混合回路６５〜６６へ出力する局部発振信号の少なくともいずれか一方をアンプ７５へ出力する。アンプ７５は、シフター７４から受けた局部発振信号を増幅し、ＰＬＬ回路７７へ出力する。
【００９８】
ＰＬＬ回路７７は、放送受信装置外部から受けた制御信号ＳＣＬ１および制御信号ＳＤＡ１によって送られてくるＰＬＬパラメータ、ならびにアンプ７５から受けた局部発振信号に基づいて制御信号を生成し、ローパスフィルタ７８へ出力する。
【００９９】
ローパスフィルタ７８は、ＰＬＬ回路７７から受けた制御信号の周波数成分のうち、所定周波数以上の成分を減衰させる。
【０１００】
コンデンサＣ１〜Ｃ３は、前段回路および後段回路間の直流電圧の影響を防ぐために配置される。
【０１０１】
ＲＦアンプ６２と、ミキサＰＬＬ部５３とに放送受信装置外部から直流電圧Ｂ２が供給される。放送受信装置外部から供給される電圧Ｂ１は、放送受信装置経由でアンテナＡＮＴ２側のＬＮＢ（Low Noise Block down converter）に供給される。
【０１０２】
図６は、図３におけるデジタル復調部１０４の構成を示す機能ブロック図である。
図６を参照して、デジタル復調部１０４は、Ａ／Ｄ変換器９０と、ＯＦＤＭ復調回路９２と、ＯＦＤＭ復調回路９２の出力の誤り訂正を行なう誤り訂正回路９４と、ＰＳＫ復調回路９６と、ＰＳＫ復調回路９６の出力の誤り訂正を行なう誤り訂正回路９８とを含む。
【０１０３】
デジタル復調部１０４としては、たとえば複合型デジタル復調ＩＣを用いることができる。このような、ＯＦＤＭ復調を行なうデジタル復調部とＰＳＫ復調を行なうデジタル復調部とが同一チップ上に集積化された複合型デジタル復調ＩＣ（Integrated Circuit）の登場により、地上波デジタルチューナ部と衛星デジタルチューナ部とが同一筐体内に収納された地上波／衛星デジタル複合型チューナの開発が容易となった。
【０１０４】
Ａ／Ｄ変換器９０は、地上放送用チューナ部１０１から受けたＩＦ信号、または衛星デジタルチューナ部１０３で受信されたＩ信号およびＱ信号をデジタル信号に変換する。
【０１０５】
ＯＦＤＭ復調回路９２は、デジタル信号に変換されたＩＦ信号をＯＦＤＭ復調およびＱＡＭ復調する。ＯＦＤＭ復調回路９２の出力は、誤り訂正回路９４によって誤り訂正されてＴＳ信号に変換される。
【０１０６】
ＰＳＫ復調回路９６は、デジタル信号に変換されたＩ信号およびＱ信号をＱＰＳＫ(Phase Sift Keying)復調または８ＰＳＫ復調する。ＰＳＫ復調回路９６の出力は、誤り訂正回路９８によって誤り訂正されてＴＳ信号に変換される。
【０１０７】
図示しないバックエンド部は、ＴＳ信号をデコードし、映像信号、音声信号およびデータを出力する。
【０１０８】
ところで、衛星デジタル放送を受信するチューナと、地上デジタル放送を受信するチューナと、地上アナログ放送を受信するチューナとを組み合わせてテレビを製造する方法では、各チューナを組み合わせることによって設計および製造工程が複雑になり、製造コストが増大してしまうという問題点があった。
【０１０９】
しかしながら、本発明の実施の形態１に係る放送受信装置では、地上放送用チューナ部１０１と、地上放送用アナログ復調部１０２と、衛星放送用チューナ部１０３と、デジタル復調部１０４とは、同一基板上に配置されている。したがって、地上放送用チューナ部１０１と、地上放送用アナログ復調部１０２と、衛星放送用チューナ部１０３と、デジタル復調部１０４とを含むテレビ等の設計および製造工程の簡易化を図ることができ、製造コストを低減することができる。
【０１１０】
さらに、本発明の実施の形態１に係る放送受信装置を設計しておけば、アナログ地上放送を受信する必要がないテレビを製造する場合にも、単に基板Ｋ１に地上放送用アナログ復調部１０２を実装しないだけで対応することができる。したがって、製造工程の簡易化を図ることができる。
【０１１１】
また、地上放送用チューナ部１０１、地上放送用アナログ復調部１０２、衛星放送用チューナ部１０３、およびデジタル復調部１０４のすべてを基板Ｋ１に実装する場合および一部を基板Ｋ１に実装する場合で放送受信装置の形状を共通化することができ、高価なテレビセットおよび廉価なテレビセット等を共通設計することができ、設計および製造工程を大幅に効率化することができる。
【０１１２】
さらに、アナログ復調部１０２を基板端部に配置しているので、デジタル専用チューナを実現する場合に、必要なピン配置はそのままで基板を小型化することができ、将来のコストダウンも容易であり、この場合テレビセットも大きな変更を要しない。
【０１１３】
次に、本発明の他の実施の形態について図面を用いて説明する。なお、以降についても実施の形態１と図中同一または相当部分には同一符号を付してその説明は繰返さない。
【０１１４】
［実施の形態２］
図７は、実施の形態２に係る放送受信装置の構成を示す機能ブロック図である。
【０１１５】
図７を参照して、実施の形態２に係る放送受信装置は、図３に示した実施の形態１に係る放送受信装置の構成に加えて、他の機器に放送信号を分配する端子Ｔ１，Ｔ２を含む。他の構成については図３で説明しているので、ここでは説明は繰返さない。
【０１１６】
図８は、図７の端子Ｔ１が接続される位置を示した回路図である。
図８を参照して、バンドパスフィルタ２からＲＦアンプ３に出力された信号が端子Ｔ１に分配される。
【０１１７】
すなわち、地上放送用チューナ部１０１は、地上放送用入力端子から送られる信号を受けるフィルタ（２）を含む。放送受信装置は、フィルタ（２）の出力する信号を分配して放送受信装置外部に出力する出力端子（Ｔ１）をさらに備える。
【０１１８】
図８の他の部分の構成については、図４で説明済みであるためここでは説明は繰返さない。
【０１１９】
図９は、図７の端子Ｔ２が接続される位置を示した回路図である。
図９を参照して、ハイパスフィルタ６１からＲＦアンプ６２に出力された信号が端子Ｔ２に分配される。
【０１２０】
すなわち、衛星放送用チューナ部１０３は、衛星放送用入力端子（ＡＮＴ２）から送られる信号を受けるフィルタ（６１）を含む。放送受信装置は、フィルタ（６１）の出力する信号を分配して放送受信装置外部に出力する出力端子（Ｔ２）を含む。
【０１２１】
図９の他の部分の構成については、図５で説明済みであるためここでは説明は繰返さない。
【０１２２】
図１０は、端子Ｔ１，Ｔ２がシールドケースにどのように取り付けられているかを示す図である。
【０１２３】
図１０を参照して、アンテナＡＮＴ１，ＡＮＴ２および端子Ｔ１，Ｔ２は、基板Ｋ１の同一端部、すなわち基板Ｋ１の実装面の同一辺側に並んで配置される。
【０１２４】
すなわち、図８に示すように地上放送用チューナ部１０１は、地上放送用入力端子から送られる信号を受ける第１のフィルタ（２）を含み、図９に示すように衛星放送用チューナ部１０３は、衛星放送用入力端子から送られる信号を受ける第２のフィルタ（６１）を含む。そして、放送受信装置は、第１のフィルタの出力する信号を分配して放送受信装置外部に出力する第１の出力端子（Ｔ１）と、第２のフィルタの出力する信号を分配して放送受信装置外部に出力する第２の出力端子（Ｔ２）とを含む。
【０１２５】
このような構成により、この放送受信装置を搭載するテレビ等の製品設計が容易になる。たとえば、製品の基板の端部付近にこの放送受信装置を配置し、製品用のケースの、アンテナＡＮＴ１、ＡＮＴ２および分配出力端子Ｔ１，Ｔ２のみが製品外部に現れるように、アンテナＡＮＴ１、ＡＮＴ２および分配出力端子Ｔ１，Ｔ２の対応する位置に穴を空けることにより、製品外部から放送受信装置のアンテナＡＮＴ１、ＡＮＴ２および分配出力端子Ｔ１，Ｔ２に配線を直接接続することができ、製品設計の簡易化を図ることができる。
【０１２６】
［実施の形態３］
実施の形態３は、地上放送用のアンテナおよび衛星放送用のアンテナを共用する放送受信装置に関する。以下で説明する内容以外の構成および動作は実施の形態１に係る放送受信装置と同様である。
【０１２７】
図１１は、本発明の実施の形態３に係る放送受信装置の構成を示す機能ブロック図である。
【０１２８】
図１１を参照して、この放送受信装置は、実施の形態１に係る受信部１００の代わりに受信部１０５を備える。受信部１０５は、アンテナＡＮＴ３と、ローパスフィルタ８１と、ハイパスフィルタ８２と、コンデンサＣ４とを含む。
【０１２９】
アンテナＡＮＴ３は、地上放送信号および衛星放送信号の含まれる無線信号を外部から入力する。
【０１３０】
ローパスフィルタ８１は、アンテナＡＮＴ３から入力された無線信号の周波数成分のうち所定周波数以上の成分を減衰させて地上放送信号を抽出し、地上放送用チューナ部１０１へ出力する。
【０１３１】
ハイパスフィルタ８２は、アンテナＡＮＴ３から入力された無線信号の周波数成分のうち所定周波数以下の成分を減衰させて衛星放送信号を抽出し、衛星放送用チューナ部１０３へ出力する。
【０１３２】
ここで、ローパスフィルタ８１で減衰する信号成分の最小周波数は、地上放送信号で最も高い周波数帯のＵＨＦ信号を減衰させず、かつ、衛星放送信号を通過させない周波数であることが好ましい。
【０１３３】
また、ハイパスフィルタ８２が減衰する信号成分の最大周波数は、衛星放送信号を減衰させず、かつ、地上放送信号を通過させない周波数であることが好ましい。
【０１３４】
したがって、ローパスフィルタ８１で減衰する信号成分の最小周波数およびハイパスフィルタ８２が減衰する信号成分の最大周波数の大小関係は特に限定されるものではなく、いずれかが大きくてもよいし、あるいは等しい関係であってもよい。
【０１３５】
コンデンサＣ４は、前段回路および後段回路間の直流電圧の影響を防ぐために配置される。
【０１３６】
すなわち、図１１に示す放送受信装置は、地上放送信号および衛星放送信号を受ける入力端子（ＡＮＴ３）と、入力端子から地上放送用チューナ部１０１に信号を伝達する経路上に設けられ、地上放送信号を選択的に透過させる第１のフィルタ（８１）と、入力端子から衛星放送用チューナ部１０３に信号を伝達する経路上に設けられ、衛星放送信号を選択的に透過させる第２のフィルタ（８２）とを含む。
【０１３７】
したがって、本発明の実施の形態３に係る放送受信装置では、地上放送信号および衛星放送信号を受信するアンテナが共通化され、実施の形態１に係る放送受信装置よりもさらに放送受信装置および放送受信装置を搭載するテレビ等の小型化および製造コストの低減を図ることができる。
【０１３８】
［実施の形態４］
実施の形態４は、地上放送用のアンテナおよび衛星放送用のアンテナを共用する放送受信装置に関する。以下で説明する内容以外の構成および動作は実施の形態３に係る放送受信装置と同様である。
【０１３９】
図１２は、本発明の実施の形態４に係る放送受信装置の構成を示す機能ブロック図である。
【０１４０】
図１２を参照して、この放送受信装置は、実施の形態３に係る受信部１０５の代わりに受信部１０６を備える。受信部１０６は、アンテナＡＮＴ３と、ローパスフィルタ８１と、ハイパスフィルタ８２と、コンデンサＣ４と、分配器８３と、分配出力端子Ｔ１を含む。
【０１４１】
分配器８３は、ローパスフィルタ８１を通過した減衰後の地上放送信号を分配して地上放送用チューナ部１０１へ出力し、また、分配出力端子Ｔ１を介して放送受信装置外部へ出力する。
【０１４２】
すなわち、図１２に示す構成では、放送受信装置は、地上放送信号および衛星放送信号を受ける入力端子（ＡＮＴ３）と、入力端子から地上放送用チューナ部１０１に信号を伝達する経路上に設けられ、地上放送信号を選択的に透過させる第１のフィルタ（８１）と、入力端子から衛星放送用チューナ部１０３に信号を伝達する経路上に設けられ、衛星放送信号を選択的に透過させる第２のフィルタ（８２）と、第１のフィルタによって選択的に透過された地上放送信号を分岐して出力する出力端子（Ｔ１）とを含む。
【０１４３】
このような構成により、たとえば、この放送受信装置を搭載するテレビ等の装置とは別の装置の入力端子とこの放送受信装置の分配器８３の出力端子Ｔ１とを接続することができ、簡単に複数の装置で地上放送信号を受信することができる。
【０１４４】
図１３は、本発明の実施の形態４に係る放送受信装置の構造を示す斜視図である。
図１３を参照して、アンテナＡＮＴ３および分配出力端子Ｔ１は、基板Ｋ１の同一端部、すなわち基板Ｋ１の実装面の同一辺側に配置される。なお、他の部分については、図２で説明した斜視図と同様な構成を有しているので説明は繰返さない。
【０１４５】
基板Ｋ１においては、入力端子（ＡＮＴ１）は、四角形の実装領域の４つの辺のいずれか１つの辺に最も近くなるように配置され、出力端子（Ｔ１）は、入力端子と同様に、同じ１つの辺に最も近くなるように配置される。
【０１４６】
このような構成により、この放送受信装置を搭載するテレビ等の製品設計が容易になる。たとえば、製品の基板の端部付近にこの放送受信装置を配置し、製品用のケースの、アンテナＡＮＴ３および分配出力端子Ｔ１のみが製品外部に現れるようにアンテナＡＮＴ３および分配出力端子Ｔ１の対応する位置に穴を空けることにより、製品外部から放送受信装置のアンテナＡＮＴ３および分配出力端子Ｔ１に配線を直接接続することができ、製品設計の簡易化を図ることができる。
【０１４７】
［実施の形態５］
図１４は、本発明の実施の形態５に係る放送受信装置の構成を示す機能ブロック図である。
【０１４８】
図１４を参照して、この放送受信装置は、実施の形態３に係る受信部１０５の代わりに受信部１０７を備える。受信部１０６は、アンテナＡＮＴ３と、ローパスフィルタ８１と、ハイパスフィルタ８２と、コンデンサＣ４と、分配器８４と、分配出力端子Ｔ２とを含む。
【０１４９】
分配器８４は、ハイパスフィルタ８２を通過した減衰後の衛星放送信号を分配して衛星放送用チューナ部１０３へ出力し、また、分配出力端子Ｔ２を介して放送受信装置外部へ出力する。
【０１５０】
すなわち、図１４に示す構成では、放送受信装置は、地上放送信号および衛星放送信号を受ける入力端子（ＡＮＴ３）と、入力端子（ＡＮＴ３）から地上放送用チューナ部１０１に信号を伝達する経路上に設けられ、地上放送信号を選択的に透過させる第１のフィルタ（８１）と、入力端子（ＡＮＴ３）から衛星放送用チューナ部１０３に信号を伝達する経路上に設けられ、衛星放送信号を選択的に透過させる第２のフィルタ（８２）と、第２のフィルタ（８２）によって選択的に透過された衛星放送信号を分岐して出力する出力端子（Ｔ２）とを含む。
【０１５１】
このような構成により、たとえば、この放送受信装置を搭載するテレビ等の装置とは別の装置の入力端子とこの放送受信装置の分配器８４の出力とを接続することができ、簡単に複数の装置で衛星放送信号を受信することができる。
【０１５２】
［実施の形態６］
図１５は、本発明の実施の形態６に係る放送受信装置の構成を示す機能ブロック図である。
【０１５３】
図１５を参照して、この放送受信装置は、実施の形態３に係る受信部１０５の代わりに受信部１０８を備える。受信部１０６は、アンテナＡＮＴ３と、ローパスフィルタ８１と、ハイパスフィルタ８２と、コンデンサＣ４と、分配器８３と、分配出力端子Ｔ１と、分配器８４と、分配出力端子Ｔ２とを含む。
【０１５４】
分配器８３は、ローパスフィルタ８１を通過した減衰後の地上放送信号を分配して地上放送用チューナ部１０１へ出力し、また、分配出力端子Ｔ１を介して放送受信装置外部へ出力する。
【０１５５】
分配器８４は、ハイパスフィルタ８２を通過した減衰後の衛星放送信号を分配して衛星放送用チューナ部１０３へ出力し、また、分配出力端子Ｔ２を介して放送受信装置外部へ出力する。
【０１５６】
すなわち、図１５に示す構成では、放送受信装置は、地上放送信号および衛星放送信号を受ける入力端子（ＡＮＴ３）と、入力端子（ＡＮＴ３）から地上放送用チューナ部１０１に信号を伝達する経路上に設けられ、地上放送信号を選択的に透過させる第１のフィルタ（８１）と、入力端子（ＡＮＴ３）から衛星放送用チューナ部１０３に信号を伝達する経路上に設けられ、衛星放送信号を選択的に透過させる第２のフィルタ（８２）と、第１のフィルタ（８１）によって選択的に透過された地上放送信号を分岐して出力する第１の出力端子（Ｔ１）と、第２のフィルタ（８２）によって選択的に透過された衛星放送信号を分岐して出力する出力端子（Ｔ２）とを含む。
【０１５７】
このような構成により、たとえば、この放送受信装置を搭載するテレビ等の装置とは別の装置の入力端子とこの放送受信装置の分配器８４の出力とを接続することができ、簡単に複数の装置で地上放送信号および衛星放送信号を受信することができる。
【０１５８】
［変形例］
図１６は、本発明の第１の変形例に係る放送受信装置の構成を示す機能ブロック図である。
【０１５９】
図１６は、本発明の第１の変形例に係る放送受信装置は、地上放送用チューナ部１０１および衛星放送用チューナ部１０３で共通に使用する基準発振回路５０Ａを備える。基準発振回路５０Ａは、水晶４７Ａと、発振器４８Ａとを含む。基準発振回路５０Ａは、発振してたとえば４ＭＨｚの基準信号を生成する。
【０１６０】
すなわち、地上放送用チューナ部１０１、衛星放送用チューナ部１０３の各々は、フェーズロックループ回路４５，７７で制御される局部発振回路１９〜２１，７６を含む。そして、放送受信装置は、地上放送用チューナ部１０１、衛星放送用チューナ部１０３の各々のフェーズロックループ回路に共通する基準信号を与える基準発振回路（５０Ａ）を含む。
【０１６１】
地上放送用チューナ部１０１の内部および衛星放送用チューナ部１０３の内部には基準発振回路５０が不要となるので、その分コストが低減される。
【０１６２】
つまり、本発明の実施の形態１に係る放送受信装置では、地上放送用チューナ部１０１および衛星放送用チューナ部１０３で基準発振回路５０Ａを共通に使用する。このような構成により、放送受信装置および放送受信装置を搭載するテレビ等の一層の小型化および製造コストの低減を図ることができる。
【０１６３】
図１７は、本発明の第２の変形例に係る放送受信装置の実装概略図である。
図１７に示す変形例においては、入力端子であるアンテナＡＮＴ１は、実装領域の前記辺Ｓ１に最も近くなるように配置されている。また、入力端子であるアンテナＡＮＴ２または出力端子である端子Ｔ１は、辺Ｓ１とは異なる辺Ｓ３に最も近くなるように配置されている。
【０１６４】
このような端子配置としても、放送受信装置が組み込まれる受像機の形状によっては使いやすい場合がある。たとえば、受像機の前面と背面に端子を設けるような場合にこのような放送受信装置は好適に用いることができる。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６６】
【図１】本発明の実施の形態１に係る放送受信装置の実装概略図である。
【図２】本発明の実施の形態１に係る放送受信装置の構造を示す斜視図である。
【図３】図１に示した放送受信装置の構成を示す機能ブロック図である。
【図４】地上放送用チューナ部１０１および地上放送用アナログ復調部１０２の構成を示す機能ブロック図である。
【図５】衛星放送用チューナ部１０３の構成を示す機能ブロック図である。
【図６】図３におけるデジタル復調部１０４の構成を示す機能ブロック図である。
【図７】実施の形態２に係る放送受信装置の構成を示す機能ブロック図である。
【図８】図７の端子Ｔ１が接続される位置を示した回路図である。
【図９】図７の端子Ｔ２が接続される位置を示した回路図である。
【図１０】端子Ｔ１，Ｔ２がシールドケースにどのように取り付けられているかを示す斜視図である。
【図１１】本発明の実施の形態３に係る放送受信装置の構成を示す機能ブロック図である。
【図１２】本発明の実施の形態４に係る放送受信装置の構成を示す機能ブロック図である。
【図１３】本発明の実施の形態４に係る放送受信装置の構造を示す斜視図である。
【図１４】本発明の実施の形態５に係る放送受信装置の構成を示す機能ブロック図である。
【図１５】本発明の実施の形態６に係る放送受信装置の構成を示す機能ブロック図である。
【図１６】本発明の第１の変形例に係る放送受信装置の構成を示す機能ブロック図である。
【図１７】本発明の第２の変形例に係る放送受信装置の実装概略図である。
【図１８】アナログ・デジタル共用のチューナユニットの配置検討例である。
【符号の説明】
【０１６７】
１  アッテネータ、２，７〜９，１３〜１５，２７  バンドパスフィルタ、３，１０〜１２，３１，６２，６３，６７〜６８，７１〜７２  ＲＦアンプ、４  ローパスフィルタ、１６〜１８  混合回路、１９〜２１，７６  局部発振回路、２２  検波回路、２３〜２５，２６，２９  ＩＦアンプ、２８，３０，３２，３３  ＳＡＷフィルタ、３４  ＶＩＦアンプ、３５  映像復調回路、３６  イコライザアンプ、３７  ＳＩＦアンプ、３８  音声検波回路、３９  検波回路、４０  ＡＦアンプ、４２，Ｃ１〜Ｃ４  コンデンサ、４３  コイル、４４，７５  アンプ、４５，７７  ＰＬＬ回路、４６  ＤＣ−ＤＣコンバータ、４７，４７Ａ  水晶、４８，４８Ａ  発振器、５０，５０Ａ  基準発振回路、５１，５３  ミキサＰＬＬ部、５２  アナログ復調部、６１，８２  ハイパスフィルタ、６４  ＡＧＣアンプ、６５〜６６  混合回路、６９〜７０，７８，８１  ローパスフィルタ、７３  ＡＧＣ制御回路、７４  シフター、８３，８４  分配器、９２  ＯＦＤＭ復調回路、９４，９８  誤り訂正回路、９６  ＰＳＫ復調回路、１００，１０５〜１０８  受信部、１０１  地上放送用チューナ部、１０２  アナログ復調部、１０３  衛星放送用チューナ部、１０４  デジタル復調部、ＡＮＴ１〜ＡＮＴ３  アンテナ、Ｋ１  基板、Ｋ１１〜Ｋ１３，Ｋ１７  シャーシ足、Ｋ１４〜Ｋ１６，Ｋ１８  シャーシ足用穴、Ｋ２〜Ｋ４  シールドケース、Ｋ５〜Ｋ７  シールド壁、ＳＷ１，ＳＷ２  スイッチ、Ｔ１，Ｔ２  分配出力端子、Ｓ１〜Ｓ４  辺、Ａ１〜Ａ４  領域。
【図１】
2008061112.tif 000003
【図２】
2008061112.tif 000004
【図３】
2008061112.tif 000005
【図４】
2008061112.tif 000006
【図５】
2008061112.tif 000007
【図６】
2008061112.tif 000008
【図７】
2008061112.tif 000009
【図８】
2008061112.tif 000010
【図９】
2008061112.tif 000011
【図１０】
2008061112.tif 000012
【図１１】
2008061112.tif 000013
【図１２】
2008061112.tif 000014
【図１３】
2008061112.tif 000015
【図１４】
2008061112.tif 000016
【図１５】
2008061112.tif 000017
【図１６】
2008061112.tif 000018
【図１７】
2008061112.tif 000019
【図１８】
2008061112.tif 000020